(57)【要約】【課題】      斬新な視認性を与える加飾構造体、その中でも特に加飾されたキートップを備える押釦スイッチ用キーシートを得ること。【解決手段】  樹脂キートップ１１を、透明樹脂成形体１４に可動偏光層１３を備える上部体１４ｄと、可撓性ベースシート１９に固着する樹脂成形体１６に固定偏光層１５を備える下部体１６ａと、で構成し、上部体１４ｄが下部体１６ａに対して回転することで可動偏光層１３と固定偏光層１５の偏光軸の重なり角度が変化することとした。そのため、２つの偏光層１３，１５の偏光軸の重なり角度の相違によって、明度や色調の異なる視認性を与えるキートップ１１である。【選択図】    図２
2005293380.tif 000002
【特許請求の範囲】
【請求項１】
固定偏光層を備える下部体と、下部体とは別体でなり固定偏光層に対して回転可能な可動偏光層を備える上部体とでなる加飾構造体であって、
上部体の回転により、可動偏光層と固定偏光層との互いの偏光軸の重なり角度を可変として加飾する加飾構造体。
【請求項２】
下部体が固定偏光層を備える樹脂成形体であり、上部体が可動偏光層を備える透明樹脂成形体である請求項１記載の加飾構造体。
【請求項３】
可動偏光層を備える上部体が一枚の偏光板である請求項１記載の加飾構造体。
【請求項４】
上部体又は下部体の少なくとも何れかに、文字、記号等を表示する表示層を形成し、前記可動偏光層の回転により偏光軸の重なり角度を前記固定偏光層の偏光軸に対して可変として、表示層を加飾する請求項１〜請求項３何れか１項記載の加飾構造体。
【請求項５】
可動偏光層と固定偏光層とで表示層を形成した請求項１〜請求項４何れか１項記載の加飾構造体。
【請求項６】
樹脂キートップと可撓性ベースシートとを備える押釦スイッチ用キーシートにおいて、
樹脂キートップを、透明樹脂成形体に可動偏光層を備える上部体と、可撓性ベースシートに固着する樹脂成形体に固定偏光層を備える下部体と、で構成し、上部体が下部体に対して回転することで可動偏光層と固定偏光層の偏光軸の重なり角度が変化することを特徴とする押釦スイッチ用キーシート。
【請求項７】
上部体と下部体との境界に、上部体の回転をし易くする滑層を設けた請求項６記載の押釦スイッチ用キーシート。
【請求項８】
上部体が下部体に対する所定位置で止まる回転規制手段を上部体に設けた請求項６または請求項７記載の押釦スイッチ用キーシート。
【請求項９】
上部体とは別体である機器に設けた突起と凹部の何れか一方に対して係合する突起と凹部の何れか他方を回転規制手段として備える請求項８記載の加飾構造体。
【請求項１０】
上部体とは別体である機器に設けた磁石に対して引き合う磁石を回転規制手段として備える請求項８記載の加飾構造体。
【請求項１１】
下部体を構成する前記樹脂成形体を透明な樹脂成形体とした請求項６〜請求項１０何れか１項記載の押釦スイッチ用キーシート。
【請求項１２】
樹脂キートップを照光式樹脂キートップとした請求項１１記載の押釦スイッチ用キーシート。
【発明の詳細な説明】
【技術分野】
【０００１】
本発明は、携帯情報端末機、携帯電話機、各種家電製品等の電子機器に用いられる加飾構造体に関し、特に、これら電子機器のスイッチ、リモコン、カードリモコンおよび各種キーボード等の操作部として用いられる押釦スイッチ用キートップに加飾を施した押釦スイッチ用キーシートに関する。
【背景技術】
【０００２】
近年、電子機器は多機能化と共にデザインの多様化が生じてきている。特に、ビジネスユースだけでなく、パーソナルユースとして普及してきた図１に示すような携帯電話機１においては、通話機能だけでなくメール機能、撮影機能などのさまざまな機能が登場し多機能化が進行する他、他機種との差別化を図るためのデザインの多様化も進み、このデザインの多様化という観点からも新製品開発に向けた競争が激化している。
【０００３】
その中にあって、携帯電話機１の表面の一部を形成する押釦スイッチ用キートップ２においても、他機種との差別化を図るデザイン競争が生じてきており、多彩な色の筐体１ａに合わせた金属調やパール調、明色などの色調にデザインしたキートップ２が得られてきている。
【０００４】
また、キートップ２のデザインを一般消費者が容易に変更できるように、複数のキートップを備えたキーパッド全体を入れ替えることを可能にした技術（特許文献１）も開発されている。
【特許文献１】特開２００３−８７２４号公報
【発明の開示】
【発明が解決しようとする課題】
【０００５】
しかしながら、金属調やパール調、明色などの色調にデザインしたキートップ２は、種々の色調を表現できるものであるが、好みの色彩を選択できるにすぎない。また、キートップ自体を代えてしまう特許文献１に記載の発明は、電子機器内に塵埃や水分が入ることもあり機能不良を起こす欠点があった。
【０００６】
そこで本発明は、さらに改良されたデザインを具現化すべく、斬新な視認性を与えるキートップの獲得を目的としてなされたものである。
【０００７】
また、このデザインの多様化の問題は、キートップだけでなく、文字や記号、さらには模様などが施された、加飾を必要とする樹脂成形体にも生じている問題であるため、さらに改良されたデザイン性と、斬新な視認性を有する加飾が施された樹脂からなる構造体（以下「加飾構造体」という）を得ることをも目的とするものである。
【課題を解決するための手段】
【０００８】
この目的を達成するために本発明は、固定偏光層を備える下部体と、下部体とは別体でなり固定偏光層に対して回転可能な可動偏光層を備える上部体とでなる加飾構造体であって、上部体の回転により、可動偏光層と固定偏光層との互いの偏光軸の重なり角度を可変として加飾する加飾構造体を提供する。
【０００９】
固定偏光層を備える下部体と、下部体とは別体でなり固定偏光層に対して回転可能な可動偏光層を備える上部体とでなる加飾構造体であって、上部体の回転により、可動偏光層と固定偏光層との互いの偏光軸の重なり角度を可変として加飾したため、２つの偏光層の偏光軸の重なり角度の相違によって、光の透過量が変化し、明るく見えたり、暗く見えたり、または、色の濃さが変化して見えたりする加飾が施された加飾構造体が実現できる。
【００１０】
そして、この加飾構造体は、下部体が固定偏光層を備える樹脂成形体であり、上部体が可動偏光層を備える透明樹脂成形体である加飾構造体とすることができる。下部体が、固定偏光層を備える樹脂成形体とし、上部体が、可動偏光層を備える透明樹脂成形体としたため、各偏光層が樹脂成形体で保護されて耐久性、経時安定性に優れた加飾構造体である。
【００１１】
また、この加飾構造体は、可動偏光層を備える上部体が一枚の偏光板である加飾構造体とすることができる。可動偏光層を備える上部体を一枚の偏光板としたため、上部体を簡単に形成することができ、加飾構造体の厚みを薄くすることができる。
【００１２】
この加飾構造体には、上部体又は下部体の少なくとも何れかに、文字、記号等を表示する表示層を形成し、可動偏光層の回転により偏光軸の重なり角度を固定偏光層の偏光軸に対して可変として、表示層を加飾したものとすることができる。
【００１３】
上部体又は下部体の少なくとも何れかに、文字、記号等を表示する表示層を形成し、可動偏光層の回転により偏光軸の重なり角度を固定偏光層の偏光軸に対して可変としたため、表示層を明るくしたり、暗くしたりして視認することができ、また、表示層の背景色を濃くしたり、薄くしたりすることが可能である。
【００１４】
また、可動偏光層と固定偏光層とで表示層を形成することができる。可動偏光層と固定偏光層とで表示層を形成したため、表示層自体の明るさや色の濃さを変化させることができ、可動偏光層と固定偏光層との偏光軸の重なり角度の相違によって、表示層が表れたり、消えたりする加飾を施すことができる。そのため、デザイン性に優れるばかりでなく、一つのキーを所定の機能キーとして用いる場合と、用いない場合の表示を変えることができる。
【００１５】
また、本発明は、樹脂キートップと可撓性ベースシートとを備える押釦スイッチ用キーシートについて、樹脂キートップを、透明樹脂成形体に可動偏光層を備える上部体と、可撓性ベースシートに固着する樹脂成形体に固定偏光層を備える下部体と、で構成し、上部体が下部体に対して回転することで可動偏光層と固定偏光層の偏光軸の重なり角度が変化することを特徴とする押釦スイッチ用キーシートを提供する。
【００１６】
樹脂キートップと可撓性ベースシートとを備える押釦スイッチ用キーシートについて、樹脂キートップを、透明樹脂成形体に可動偏光層を備える上部体と、可撓性ベースシートに固着する樹脂成形体に固定偏光層を備える下部体と、で構成し、上部体が下部体に対して回転することで可動偏光層と固定偏光層の偏光軸の重なり角度が変化することとしたため、２つの偏光層の偏光軸の重なり角度の相違によって、光の透過量が変化し、明るく見えたり、暗く見えたり、または、色の濃さが変化して見えたりする加飾が施されたデザイン性に優れた押釦スイッチ用キーシートとすることができる。
【００１７】
この押釦スイッチ用キーシートには、上部体と下部体との境界に、上部体の回転をし易くする滑層を設けることができる。上部体と下部体との境界に、上部体の回転をし易くする滑層を設ければ、上部体が下部体に対してスムーズに回転し、操作性が良好な押釦スイッチ用キーシートとなる。
【００１８】
また、この押釦スイッチ用キーシートには、上部体が下部体に対する所定位置で止まる回転規制手段を上部体に設けたものとすることができる。上部体が下部体に対する所定位置で止まる回転規制手段を上部体に設けたため、可動偏光層と固定偏光層との偏光軸の重なり角度が、所定の角度となる位置で可動偏光層を止めることができ、明度や色調について所定の視認性を与えたり、特定のキーとして表示したり、しなかったりといった加飾の程度を予め定めた位置に容易に上部体を止めることができる。
【００１９】
上記回転規制手段については、上部体とは別体である機器に設けた突起と凹部の何れか一方に対して係合する突起と凹部の何れか他方を回転規制手段とすることができる。回転規制手段を突起または凹部の何れか一方として形成すれば、上部体とは別体である機器の筐体に設けた突起または凹部の何れか他方に対して係合させることとでき、上部体を下部体に対する所定位置で止めることが可能となる。また、この回転規制手段については磁石とすることもできる。磁石として形成すれば上部体とは別体である機器の筐体に設けた磁石と互いに引き合うように配置して、磁石の吸引力で強く引かれる位置で上部体を止めることが可能である。このように、回転規制手段が、突起または凹部であるか、磁石であれば、その形成も容易であるし、回転と停止の間の移行も容易に行うことができる。
【００２０】
そして、本発明では、下部体を構成する樹脂成形体を透明な樹脂成形体とすることができる。透明な樹脂成形体としたため、この樹脂成形体の裏面側（ベースシート側）に固定偏光層を設けても加飾を得ることができる。透明な樹脂成形体の裏面に固定偏光層を形成すれば、固定偏光層が透明な樹脂成形体で保護されて、上部体との摩擦による固定偏光層の影響を問題にする必要がなくなる利点がある。
【発明の効果】
【００２１】
本発明の加飾構造体や押釦スイッチ用キーシートによれば、キートップを含む加飾構造体に全く新しい視認性、デザインを与えることができ、特に、バラエティー性に対する要求の高いパーソナルユース向けの材料として、またその材料を用いた完成品として好適に用いることができる。
【発明を実施するための最良の形態】
【００２２】
本発明の加飾構造体の実施形態として、携帯電話機１において用いられるキートップ、および、このキートップが可撓性のベースシートと一体になったキーシートについて図面を参照して説明する。なお、添付の図において、構成材の厚さや長さは、説明の便宜や見易さのため実際の縮尺に基づくものではない。また、従来技術と共通する構成、各実施形態で共通する構成（層厚を含む）や製造方法については、重複説明を省略する。
【００２３】
第１実施形態；  第１実施形態における本発明の加飾構造体は、携帯電話機１で用いる押釦スイッチ用キートップ１１として実現したものである。図２には、このキートップ１１を備えたキーシート１２と筐体１ａの一部拡大断面を、図３には、キートップ１１を配置した携帯電話機１の一部平面をそれぞれ示す。このキートップ１１は、可動偏光層１３を設けた上部透明樹脂成形体１４でなる上部体１４ｄと、該上部体１４ｄとは別体であり固定偏光層１５を設けた下部樹脂成形体１６でなる下部体１６ａと、が積層したものである。可動偏光層１３と固定偏光層１５との境界面には滑層１７を有し、また、文字や記号などを表す表示層１８と表示層１８の周囲を目地埋めする目地埋め層１８ｅを下部樹脂成形体１６の表面に有している。このキートップ１１は、下部体１６ａがシリコーンゴムなどのゴム状弾性体でなるベースシート１９と図外の接着剤で固着されてキーシート１２を形成している。キーシート１２は、キートップ１１を指で押圧すると、ベースシート１９が弾性変形し、その押圧操作方向に配置する金属皿ばね（図示せず）を押圧して、プリント基板上の固定接点（図示せず）が導通するようになっている。
【００２４】
このような構成からなるキーシート１２は、キートップ１１を構成する上部体１４ｄが筐体１ａの裏面や、筐体１ａに設けられた貫通孔１ｃの内周面に臨むような位置で、滑層１７を介して下部体１６ａの上に載置されている。そのため、上部体１４ｄに形成された抜止め部１４ｂが筐体１ａの裏面に当たって外部には外れず、また貫通孔１ｃの内周面に当たって、押圧操作方向に対する垂直方向にずれ込まない位置に保持されながら、下部体１６ａの上を自由に回転できるようになっている。また、抜止め部１４ｂとなる上部樹脂成形体１４の上面には、携帯電話機１の筐体１ａに等間隔に４箇所設けられた凹部１ｂと係合しあう突起１４ｃが１箇所形成されている。凹部１ｂと突起１４ｃは、それぞれ筐体１ａまたはキートップ１１の回転規制手段となり、下部体１６ａに対する上部体１４ｄの回転位置を確認し、回転規制手段どうしが向き合う位置で回転を安定的に止めることができるようになっている。
【００２５】
キーシート１２を構成する各層の材質等を詳しく説明すると、上部透明樹脂成形体１４は、ポリカーボネート樹脂やポリメチルメタクリレート樹脂、ポリアクリロニトリルブタジエンスチレン樹脂、アクリロニトリルスチレン樹脂、ポリアミド樹脂、ポリウレタン樹脂、ポリスチレン樹脂、ポリエステル樹脂、ポリプロピレン樹脂などの透明な樹脂でなり、予め押出成形、射出成形などによって円柱状の本体部１４ａとその外周に抜止め部１４ｂを有する凸状に成形したものである。また、上部透明樹脂成形体１４の裏面全体に設けられた可動偏光層１３は、偏光板から形成されている。偏光板は光振動の特定の成分のみを透過させるため、２枚の偏光板を重ねた場合に、互いの偏光板の偏光軸が同方向を向く場合は光が通るが、偏光軸が直交する場合に光が通らないという性質を有するものである。この偏光板には、スモーク偏光板や、ブルー偏光板などの各種色彩を有する偏光板を用いることができる。また、偏光板には板状のものだけでなく、フィルム状の薄膜のものをも含む。上部透明樹脂成形体１４への可動偏光層１３の形成は、上部透明樹脂成形体１４に透明な接着剤で偏光板を固着したり、上部透明樹脂成形体１４を成形する際の金型内に偏光板を予め配置しておき、偏光板と上部透明樹脂成形体１４を一体成形することでも可能である。
【００２６】
一方、下部樹脂成形体１６は、上部透明樹脂成形体１４と外周の大きさが同程度となる円柱状に形成したものであり、上部透明樹脂成形体１４と同じ材料、方法で成形することができる。下部樹脂成形体１６の表面に設けた、文字や記号などを表す表示層１８や、その周囲を目地埋めする目地埋め層１８ｅは、パッド印刷やスクリーン印刷などで形成し、図３では、表示層１８は“□”印を示している。また、下部樹脂成形体１６の上層に設けた固定偏光層１５も偏光板からなり、表示層１８を有する下部樹脂成形体１６の表面に接着剤などで固着したものである。固定偏光層１５も可動偏光層１３と同じ材料から得ることができる。滑層１７は、シリコーン系やパラフィン系などの滑剤を可動偏光層１３または固定偏光層１５上に塗布して形成したものである。
【００２７】
次に、携帯電話機１に組み込まれたキーシート１２の作用について説明する。
【００２８】
キーシート１２は、キートップ１１への押圧操作によって、入力キーとして機能することはもちろんであるが、表示層１８の視認性を操作者が意図的に変化させることができるキーシートである。上部体１４ｄを貫通孔１ｃ内で回転させると、下部樹脂成形体１６に固着した固定偏光層１５に対して、上部透明樹脂成形体１４に固着した可動偏光層１３が回転し、可動偏光層１３と固定偏光層１５の互いの偏光軸の重なり角度が変化する。そのため、可動偏光層１３と固定偏光層１５を通って視認される表示層１８の明るさが変化する。これを模式図を用いて説明すれば、図４に示すように、可動偏光層１３と固定偏光層１５の偏光軸が同方向を向く（Ａ）の場合に表示層１８は明るく見える。しかし、可動偏光層１３が（Ａ）の場合から４５°回転した（Ｂ）になると、表示層１８はやや暗く視認される。さらに、可動偏光層１３が回転して、可動偏光層１３と固定偏光層１５との偏光軸が直交し、その重なり角度が９０°になると、キートップ１１の表面が暗くなって表示層１８が視認できなくなる。なお、図４における可動偏光層１３、固定偏光層１５において示した線は、それぞれ偏光軸を表す。
【００２９】
上部透明樹脂成形体１４を回転させ、キートップ１１の抜止め部１４ｂに形成された突起１４ｃが、携帯電話機１の筐体１ａに形成された凹部１ｂに当たって重なると、上部透明樹脂成形体１４の回転を止め、安定的に上部体１４ｄをその位置に止めておくことができる。可動偏光層１３と固定偏光層１５にはスモーク偏光板を用い、突起１４ｃと凹部１ｂとが重なる位置で、可動偏光層１３と固定偏光層１５との互いの偏光軸の重なり角度を０°としておけば、光が両偏光層１３，１５で遮られることなく、表示層１８として表れる形状を明るく視認することができる。一方、重なり角度を９０°としておけば、光が両偏光層１３，１５で遮られ、表示層１８として表れる形状を視認することができなくなる。
【００３０】
したがって、可動偏光層１３と固定偏光層１５の偏光軸の重なり角度を０°、９０°とした位置に回転規制手段を設けておけば、上部透明樹脂成形体１４を任意に回転させても、明るく視認できる位置と視認できない位置を回転中に容易に決定でき、この位置で下部体１６ａに対し安定的に上部体１４ｄを止めておくことができる。さらに、４５°の位置に回転規制手段を設けておけば、これらの中間程度の明るさとして視認することができ視認性の異なる３段階の位置を容易に選択することができる。
【００３１】
本実施形態ではキートップ１１の横断面として表れる面全体に、可動偏光層１３と固定偏光層１５を形成しているため、キートップ１１を外部から視認すると、キートップ１１の表面全体の明るさや色を変化させることができる。すなわち、可動偏光層１３と固定偏光層１５の双方にスモーク偏光板を用いれば、明るくなったり、暗くなったりして、表示層１８が明瞭に視認できたり、視認できなかったりといった変化を楽しむことができる。また、スモーク偏光板とブルー偏光板を用いれば、明るく無色の中に表示層１８が見える状態から、周囲の青みの程度が徐々に増し、濃い青色の中に表示層１８が見える状態までを楽しむことができる。したがって、このキーシート１２を用いた携帯電話機１では、操作者の使用時の雰囲気、環境、心持ちに応じて表示層１８の表示状態を意図的に変えることができる。
【００３２】
第２実施形態；  第２実施形態における本発明の加飾構造体は、携帯電話機１で用いるキートップ２１として実現したものである。図５には、このキートップ２１を備えたキーシート２２と筐体１ａの一部拡大断面を、図６にはその平面を示す。図５で示す多方向キートップは、中央入力キーに該当するキートップ２１と、このキートップ２１の周囲にある円環キー２３とで構成されている。キートップ２１は、第１実施形態で示したキートップ１１と同じ層構成を有するが、回転規制手段として突起１４ｃの代わりに磁石２４ｂを設けた点がキートップ１１と異なるところである。すなわち、キートップ２１の上部透明樹脂成形体２４に設けた磁石２４ｂと円環キー２３に設けた磁石２３ｂが互いに引き合うような向きに、それぞれの磁石２４ｂ，２３ｂを配置することで、キートップ２１に設けられた磁石２４ｂと円環キー２３に設けられた磁石２３ｂが向き合う位置で上部体２４ａが止まるようになっている。
【００３３】
キートップ２１を備えたキーシート２２も、中央入力キーに該当するキートップ２１を回転させることで、表示層１８の視認性を変化させることができる。また、回転規制手段を上部樹脂成形体２４の周囲に適当な数だけ設けて、その回転規制手段において、上部樹脂成形体２４を止め易くすることができる。
【００３４】
第３実施形態；  第３実施形態によるキートップ３１は、第１実施形態におけるキートップ１１のように、透明樹脂成形体３４が上部透明樹脂成形体１４と下部樹脂成形体１６とに分断されたものではなく、図７で示すように、一つの透明樹脂成形体３４に固定偏光層１５を固着して下部体３４ａを形成する一方、透明樹脂成形体３４には可動偏光層３３を回転自在に保持する挿入溝３４ｄを設け、その中に可動偏光層３３単体でなる上部体３３ｄを嵌めこんだものである。したがって、可動偏光層３３となる偏光板は透明樹脂成形体３４とは固着しておらず、固定偏光層１５を有する下部体３４ａに対して回転可能である。
【００３５】
本実施形態における可動偏光層３３として用いる偏光板は、透明樹脂成形体３４の形成後に、その挿入溝３４ｄに装着する必要があるため、挿入溝３４ｄに入りこむだけの柔軟性を有する必要がある。
【００３６】
本実施形態では、可動偏光層３３の端に突起３３ｃを、透明樹脂成形体３４に凹部３４ｂを設けて、回転規制手段を形成している。
【００３７】
キートップ３１を備えたキーシート３２も、可動偏光層３３となる偏光板を回転させることで、表示層１８の視認性を変化させることができる。
【００３８】
第４実施形態；  第４実施形態によるキートップ４１は、図８で示すように、第２実施形態で示したいわゆる多方向キーのうち、円環キー４１を加飾構造体としたものである。円環キー４１は、入力位置を示す箇所に図１で示す三角形状の表示層４８が形成されている。
【００３９】
キートップ４１の層構成が第１実施形態で示したキートップ１１と異なるのは、まず、偏光板で表示層４８を形成している点にある。図９、図１０にこの多方向キーの図８におけるＳＣ−ＳＣ線断面図とＳＤ−ＳＤ線断面図を示すが、可動偏光層４３は、図９で示すように上部透明樹脂成形体４４の裏面に三角形状をした４片のスモーク偏光板を、全ての偏光板の偏光軸が同方向を向くように固着して、４つの可動偏光層４３ａ，４３ｂ，４３ｃ，４３ｄを形成している。偏光板が配置されてない部分は透明な樹脂で目地埋めされた目地埋め層４３ｅとなっている。
【００４０】
固定偏光層４５は、図１０で示すように、下部樹脂成形体４６の上面に三角形状をした４片のスモーク偏光板からなる４つの固定偏光層４５ａ，４５ｂ，４５ｃ，４５ｄが形成されている。固定偏光層４５の偏光軸の向きは、上下位置に配置された固定偏光層４５ａ，４５ｃでは、図中矢印で示すように上下方向であり、左右位置に配置された固定偏光層４５ｂ，４５ｄでは左右方向である。固定偏光層４５の偏光板が配置されてない部分も透明な樹脂で目地埋めされ、目地埋め層４５ｅとなっている。
【００４１】
このように、これまでの実施形態によるキートップ１１，２１，３１では偏光層とは別に表示層１８を形成していたのに対し、本実施形態のキートップ４１では偏光層を表示層４８としている。可動偏光層４３と固定偏光層４５の境界面に滑層４７が形成されているのは他の実施形態におけるキートップ１１，２１，３１と同様である。
【００４２】
また、キートップ４１の抜止め部４４ｂに突起４４ｃが、筐体１ａの裏面に凹部１ｂがそれぞれ形成されており、可動偏光層４３と固定偏光層４５とが重なる位置で突起４４ｃと凹部１ｂが重なるように、回転規制手段が設けられている。
【００４３】
このような構成からなるキートップ４１は、例えば、可動偏光層４３と固定偏光層４５とが重なった際、固定偏光層４５ａに対して可動偏光層４３ａが重なる場合には、互いの偏光軸が同じ向きを向き、上下にある表示層４８は光を通して視認されない。一方、この場合には固定偏光層４５ｂと可動偏光層４３ｂとが重なるため、互いの偏光軸が直交し、左右にある表示層４８は光を遮断して三角形状が視認される。
【００４４】
これに対して、固定偏光層４５ａに対して可動偏光層４３ｄが重なる場合には、互いの偏光軸が直交し、上下にある表示層４８は光を遮断して三角形状が視認される。一方、この場合には固定偏光層４５ｂと可動偏光層４３ａとが重なるため、互いの偏光軸が同じ向きを向き、左右にある表示層４８は光を透過して三角形状が視認されない。従ってキートップ４１の表示層４８を、上下方向のキーのみを視認される場合と、左右方向のキーのみを視認される場合とを区別することができるため、上下方向を入力キーとして機能させる場合と、左右方向を入力キーとして機能させる場合とに対応した表示を行うことが可能となる。
【００４５】
この実施形態の変形例として、４つの固定偏光層４５ａ，４５ｂ，４５ｃ，４５ｄを全て同じ向きに偏光軸が向くように配置すれば、キートップ４１の回転によって、４つの三角形状が全て視認される場合と、４つの三角形状が全て視認されない場合とに分かれるキートップ４１とすることができる。
【００４６】
上記実施形態は何れも本発明の一例を示したものに過ぎず、表示層１８，４８の視認性を変化させることができるという本発明の目的を達成できる限度において適度の変更が可能である。
【００４７】
例えば、全てのキートップ１１，２１，３１，４１形状や、一般的なキーか多方向キーかといった種類は上記の例に限定されるものではない。また、その層構成も例えば滑層１７，４７は設けないことも可能であるし、表示層１８，４８の層構成中における位置も変更可能である。また、回転規制手段を設ける位置や数、回転規制手段の形状についても、例えば、凹部１ｂをキートップ１１，３１側に設けるなどの適宜変更が可能である。
【００４８】
また、ベースシート１９を透光性にするなどして、キーシート１２，２２，３２，４２の下部から発光させてキートップ１１，２１，３１，４１を照光させる照光式キートップとすることができ、さらに、キートップ１１，２１，３１，４１以外の加飾構造体に対して適用することができる。
【図面の簡単な説明】
【００４９】
【図１】携帯電話機の外観平面図である。
【図２】本発明の第１実施形態によるキートップを有するキーシートであり、図１のＳＡ−ＳＡ線断面図である。
【図３】図２の平面図である。
【図４】可動偏光層と固定偏光層の偏光軸の重なり角度の変化と表示層の視認性を示した模式図である。
【図５】本発明の第２実施形態によるキートップを有するキーシートであり、図１のＳＢ−ＳＢ線断面図である。
【図６】図５の平面図である。
【図７】図２相当の本発明の第３実施形態によるキートップを有するキーシートの断面図である。
【図８】図５相当の本発明の第４実施形態によるキートップを有するキーシートの断面図である。
【図９】図８のＳＣ−ＳＣ線断面図である。
【図１０】図８のＳＤ−ＳＤ線断面図である。
【符号の説明】
【００５０】
１    携帯電話機
１ａ    筐体
１ｂ    凹部
１ｃ    貫通孔
２，１１，２１，３１，４１    押釦スイッチ用キートップ（キートップ）
３，１２，２２，３２，４２    キーシート
１３，３３    可動偏光層
３３ｃ    突起（回転規制手段）
１４，２４，３４    上部透明樹脂成形体
１４ａ    本体部
１４ｂ，４４ｂ    抜止め部
１４ｃ，４４ｃ    突起（回転規制手段）
１４ｄ，２４ｄ，３３ｄ，４４ｄ    上部体
２４ｃ    磁石
３４ｂ    凹部
３４ｄ    挿入溝
１５    固定偏光層
１６    下部樹脂成形体
１６ａ，３４ａ，４６ａ    下部体
１７    滑層
１８，４８    表示層
１８ｅ，４８ｅ    目地埋め層
１９    ベースシート
２３    円環キー
２３ｂ    磁石
【図１】
2005293380.tif 000003
【図２】
2005293380.tif 000004
【図３】
2005293380.tif 000005
【図４】
2005293380.tif 000006
【図５】
2005293380.tif 000007
【図６】
2005293380.tif 000008
【図７】
2005293380.tif 000009
【図８】
2005293380.tif 000010
【図９】
2005293380.tif 000011
【図１０】
2005293380.tif 000012